(57)【要約】【課題】容器の蓋をしたまま内部の物質を計量でき、容器本体の容易な動作だけで自然的に必要量の物質の採取を可能とする。【解決手段】容器２内の物質３を採取できる内部取付型計量器４〜８を設置する事で、容器２に附属している蓋１を開けず、また外的なスプーンなどの計量器具を要する事なく容器２内の物質３を採取できる。更に内部取付型計量器４〜７が容器本体３の回転などの簡易な動作により自然的に回転する事から容器２を動かす動作だけで必要量の物質３の採取が容易に可能となる。【選択図】図１
2007292538.tif 000002
【特許請求の範囲】
【請求項１】
容器の蓋の内部に計量器を設置し、同容器を回転もしくは一振りなどの動作で容器内の粉や液体などの物質を採取できる事を特徴とする内部取付型の計量器。
【発明の詳細な説明】
【技術分野】
【０００１】
本発明は容器内の粉や液体などの物質を容易に一定量を採取できる計量器に関するものである。
【背景技術】
【０００２】
従来、コーヒー粉末や調味料などを保管している容器内の物質を採取する際には、まず蓋を開け、スプーン等を用いて採取するが、殆どの場合この容器とスプーン等は同一場所に保管されておらず、スプーン等を探す行為が必要となり、またこの時に使用したスプーン等の洗浄や再保管の手間も後に有する。
【０００３】
また、容器の蓋に目盛などが記されており、その蓋に容器内の物質を盛る事でスプーン等の代替とする容器もあるが、この方法だと容器と蓋を分離し、容器を慎重に傾けて蓋に物質を注ぐ状態なので、その物質が蓋から溢れる事が多く、また採取後も蓋の内面にこの物質が付着するので蓋を再度、容器に装着した際に容器との密封を妨げる場合がある。
【０００４】
一般的にこの容器内にある物質を採取する際に必要となる分量は同量の場合が殆どである。しかし都合良くその分量と等しいスプーン等が同容器の付近にある事が少なく、また蓋をその代替とする場合でも分量の計測は難しい。
【０００５】
容器内に直接、スプーン等を入れておく場合もあるが、一般的に容器の口径は人間の手よりも小さい場合が多いので容器内のスプーン等を取り出し難く、更に容器内の物質の採取も困難である。また、容器内に手が触れる事から衛生的にも好ましくない。
【０００６】
一部容器で蓋にスプーン等の計量器具が予め据え付けてある計量器具一体型の蓋の物もあるが、この場合だと蓋の開け閉めの手間がある事と蓋が容器の口径よりも大きい事からスプーン等で掬いにくい。よって容器内部の物質をこのスプーン等で掬うためには、容器自体をわざわざ適切な角度に傾けなければならない。また、この方法だと底部の採取が不可能である。
【特許文献１】実用新案公平平５−５１２２５
【発明の開示】
【発明が解決しようとする課題】
【０００７】
上述の如く解決しようとする問題点は、採取の際に蓋を開けなければならず、一定量の計量が容易な動作では出来なく、洗浄その他の後の作業が必要な点である。
【０００８】
蓋に計量器が備え付けてある計量器一体型の蓋の物については、計量器の取り外しが出来ないので採取に必要な分量を用途毎に変えらなく、また底部の採取が不可能な点である。
【課題を解決するための手段】
【０００９】
本発明は蓋に引力の原理で自然的に回転する計量器を設ける事により、容器を傾けて容器内の物質を摂取し、蓋を開けると必要分の容器内の物質が摂取されている事を最も大きな特徴とする。
【発明の効果】
【００１０】
本発明は容器内の物質を採取する際に蓋を開ける事なく容器を傾け、蓋に設置した内部取付型計量器で一定量の容器内の物質を容易に採取する。この簡易な動作だけで蓋に設置した内部取付型計量器に物質が採取でき、当然の事ながら蓋に設置しているので蓋を開けると当時に物質を採取出来る事が最大の利点であり、これにより従来必要だったスプーン等の外的部位を不要とし、またそれに伴う洗浄などの後作業が発生せず、容易に一定量の採取を可能とした。
【発明を実施するための最良の形態】
【００１１】
以下、本発明の実施の形態を図面に基づき詳細に説明する。
【００１２】
図１は外観図、図２は図１と異なる面より見た外観図であり、図３は平面図、図４は本発明の使用例を示した図面である。
【００１３】
本発明は図４で示すとおり容器２を動かす事により計量器４が自然に回転し容器内の物質３を採取するものである。
【００１４】
図１、図２で示すとおり市販品の容器２の蓋１に両面テープなどで、内部取付型計量器４〜８で設置した状態で使用する。
【００１５】
本発明である内部取付型計量器は図１、図２で示すとおり符号４〜８で構成されており、市販の容器２に附属している蓋１にスライド式設置板を両面テープなどで設置した状態で使用する。定置棒５に計量器吊り棒６が設置しており、この計量器吊り棒６に計量器４が固定されている。つまり定置棒５に計量器吊り棒６と計量器４がぶら下がった状態になっている。定置棒５は固定されているので容器２が動いても同じ状態だが図４で示す通り容器２を動かすとぶら下がっている吊り棒６と計量器４は定置棒５を軸として回転をする。公園などにあるブランコに例えると定置棒５が鉄柱及び横架梁であり、吊り棒６が鎖、計量器４が台座である。容器２が１８０度回転すると自ずと物質３は蓋１側（容器の天側）へ溜まる。この時、計量器４は上を向いた状態になっているので物質３の受け皿となる。容器２を更に動かし元の状態に戻すと物質３は容器２の底部へ戻るが計量器４には物質３が採取された状態になっている。そして蓋１を開けて持ち上げると、固定された内部取付型計量器も同時に持ち上がる事となる。ここで取手７を動かすと計量器４で採取された物質３を取り出す事が出来る。また取手７は計量器４の回転を促進する役目も担っている。
【実施例１】
【００１６】
図４では回転による採取方法を示したが、容器２を３６０度回転させる以外にも容器２を適度に上下に振る事でも上述と同様に計量器４は回転し物質３の採取が可能である。
【００１７】
計量器４は半球の形状であり、この直径の大きさにより計量器４での採取量が１ｇ、２ｇと異なるのだが、本発明の構造は全ての形状において同一である。
【００１８】
一般的に容器内の物質３の必要使用量は同じであるが、この物質３が不要になった場合などに同容器内の物質を他の物質と入れ替える事が考えられる。他にも使用状況の変化などに伴い、同じ物質３でも必要となる量が異なる事も考えられる。この際はスライド式設置板８が上下に二枚の板であり、この二枚が溝によりスライドして脱着できる構造となっているので、容易に内部取付型計量器４〜７を容易に交換する事が可能である。
【産業上の利用可能性】
【００１９】
本発明は容器内の物質を採取する際の様々な環境での利用が可能である。従来品の容器を使用でき、設置も交換も容易である。また液体、粉末などを容器から取り除き使用する商品の容器に予め設置した状態での販売にも適応できる。
【図面の簡単な説明】
【００２０】
【図１】本発明の第一の実施の形態に係わる内部取付型計量器の外観図である。
【図２】図１と９０度異なる方向から見た内部取付型計量器の外観図である。
【図３】図１、図２を上から見た内部取付型計量器本体の平面図である。
【図４】内部取付型計量器を回転して使う過程を示した連続図である。（使用例）
【符号の説明】
【００２１】
１    蓋（本発明外）
２    容器（本発明外）
３    物質（本発明外）
４    計量器
５    定置棒
６    吊り棒
７    取手
８    スライド式設置板
【図１】
2007292538.tif 000003
【図２】
2007292538.tif 000004
【図３】
2007292538.tif 000005
【図４】
2007292538.tif 000006